【手続補正書】
【提出日】平成19年3月8日(2007.3.8)
【手続補正１】
【補正対象書類名】明細書
【補正対象項目名】発明の名称
【補正方法】変更
【補正の内容】
【発明の名称】カメラ装置、電子機器システム及び外部機器接続方法
【手続補正２】
【補正対象書類名】明細書
【補正対象項目名】特許請求の範囲
【補正方法】変更
【補正の内容】
【特許請求の範囲】  
【請求項１】  外部機器を電気的及び機械的に接続する外部機器接続手段を有するカメラ装置において、
上記外部機器接続手段は、底部に機器側電気接点端子を備えるとともに、側部に突起部を備え、
上記外部機器は、上記外部機器接続手段の上記機器側電気接点端子と電気的に接続される装置側電気接点端子と誤挿入防止凸部とから構成される接続手段を有し、
上記外部機器の上記接続手段が上記外部機器接続手段に誤った向きで挿入された場合には、上記誤挿入防止凸部が上記突起部に突き当たり、上記接続手段の上記外部機器接続手段への接続が阻止される
ことを特徴とするカメラ装置。
【請求項２】  請求項１記載のカメラ装置において、
上記外部機器接続手段は、アクセサリーシューである
ことを特徴とするカメラ装置。
【請求項３】  請求項１記載のカメラ装置において、
上記外部機器は、プリンター装置である
ことを特徴とするカメラ装置。
【請求項４】  電気的及び機械的な接続手段を有する外部機器と、
上記外部機器を電気的及び機械的に接続する外部機器接続手段を有する電子機器装置とから構成される電子機器システムにおいて、
上記外部機器接続手段は、底部に機器側電気接点端子を備えるとともに、側部に突起部を備え、
上記外部機器の上記接続手段は、上記機器側電気接点端子と電気的に接続される装置側電気接点端子と誤挿入防止凸部を備え、
上記外部機器の上記接続手段が上記外部機器接続手段に誤った向きで挿入された場合には、上記誤挿入防止凸部が上記突起部に突き当たり、上記接続手段の上記外部機器接続手段への接続が阻止される
ことを特徴とする電子機器システム。
【請求項５】
カメラ装置の外部機器接続手段に、接続手段を接続することによって外部機器を電気的及び機械的に接続する外部機器接続方法において、
底部に設けた機器側電気接点端子及び側部に設けた突起部を備えた上記外部機器接続手段に、機器側電気接点端子と電気的に接続される装置側電気接点端子及び誤挿入防止凸部を備えた接続手段を接続するときに、
上記接続手段が上記外部機器接続手段に誤った向きで挿入された場合には、上記誤挿入防止凸部が上記突起部に突き当たることにより、上記接続手段の上記外部機器接続手段への接続が阻止される
ことを特徴とする外部機器接続方法。
【手続補正３】
【補正対象書類名】明細書
【補正対象項目名】０００１
【補正方法】変更
【補正の内容】
【０００１】
【発明の属する技術分野】
本発明は、例えばビデオカメラ装置のアクセサリーシューにコネクタを介してビデオプリンター装置等を搭載できるようにしたカメラ装置、このカメラ装置を備えた電子機器システム、及びカメラ装置に外部機器を接続する外部機器接続方法に関し、詳しくは、アクセサリーシューとコネクタとに誤挿入防止手段を備えることによって、コネクタの逆向きからの誤挿入を防止するようにしたものである。
【手続補正４】
【補正対象書類名】明細書
【補正対象項目名】０００５
【補正方法】変更
【補正の内容】
【０００５】
本発明は、上述したような課題を解消するためになされたもので、アクセサリーシューに対してコネクタの逆向きからの誤挿入を機械的に防止し、種々の電気的トラブルの発生を回避できるようにしたカメラ装置、電子機器システム及び外部機器接続方法を得ることを目的としている。
【手続補正５】
【補正対象書類名】明細書
【補正対象項目名】０００６
【補正方法】変更
【補正の内容】
【０００６】
【課題を解決するための手段】
上述の目的を達成するため、本発明によるカメラ装置は、外部機器を電気的及び機械的に接続する外部機器接続手段を有するカメラ装置において、外部機器接続手段は、底部に機器側電気接点端子を備えるとともに、側部に突起部を備え、外部機器は、外部機器接続手段の機器側電気接点端子と電気的に接続される装置側電気接点端子と誤挿入防止凸部とから構成される接続手段を有し、外部機器の接続手段が外部機器接続手段に誤った向きで挿入された場合には、誤挿入防止凸部が突起部に突き当たり、接続手段の外部機器接続手段への接続が阻止されるように構成したものである。
【手続補正６】
【補正対象書類名】明細書
【補正対象項目名】０００７
【補正方法】変更
【補正の内容】
【０００７】
上述のように構成したカメラ装置によれば、カメラ装置の外部機器接続手段であるアクセサリーシューに対して外部機器である電子機器の接続手段であるコネクタを順方向に挿入したときには、コネクタはアクセサリーシューの最奥部まで挿着され、アクセサリーシューの機器側電気接点端子とコネクタの装置側電気接点端子とが正常に電気的に接続される。
【手続補正７】
【補正対象書類名】明細書
【補正対象項目名】０００９
【補正方法】変更
【補正の内容】
【０００９】
【発明の実施の形態】
以下、本発明における電子機器装置であるカメラ装置の実施の形態を、ビデオカメラ装置の外部機器接続手段であるアクセサリーシューに外部機器であるビデオプリンター（プリンター装置）のコネクタが接続される場合を例にとって図面を参照して説明する。
【手続補正８】
【補正対象書類名】明細書
【補正対象項目名】００１１
【補正方法】変更
【補正の内容】
【００１１】
そして、ビデオカメラ本体部１の前方側上面にアクセサリーシュー７が備えられている。このアクセサリーシュー７にビデオプリンターの接続手段であるコネクタが電気的及び機械的に接続され、ビデオカメラ本体部１に取り込んだ映像信号等から静止画像をビデオプリンターによってハードコピーすることができるようになっている。
【手続補正９】
【補正対象書類名】明細書
【補正対象項目名】００１２
【補正方法】変更
【補正の内容】
【００１２】
図２はアクセサリーシュー７を縦断した拡大断面図である。
アクセサリーシュー７の底面部７ａには前後２列に複数の電気接点端子である電極ピン端子８，９が並列状態に配置されている。これら各電極ピン端子８，９はビデオカメラ本体部１側に電気的に接続されている。また、各電極ピン端子８，９は通常、シャッター板１０により閉止され塵埃等の付着あるいは外圧等により変形しないように保護されている。
【手続補正１０】
【補正対象書類名】明細書
【補正対象項目名】００１４
【補正方法】変更
【補正の内容】
【００１４】
図３はアクセサリーシュー７にビデオプリンターの接続手段であるコネクタ１２が正常な向きで電気的及び機械的に接続された状態の拡大断面図である。
【手続補正１１】
【補正対象書類名】明細書
【補正対象項目名】００２４
【補正方法】変更
【補正の内容】
【００２４】
【発明の効果】
以上説明したように、本発明におけるカメラ装置、電子機器システム及び外部機器接続方法は、カメラ本体部に備えたアクセサリーシューにコネクタを有する電子機器が電気的及び機械的に接続されるようにしたカメラ装置、電子機器システム及び外部機器接続方法において、シュー底部に設けた機器側電気接点端子及びシュー入口側の側部に設けた突起部を備えた外部機器接続手段と、この外部機器接続手段の機器側電気接点端子と電気的に接触する装置側電気接点端子及びこの装置側電気接点端子より後方側に設けた誤挿入防止凸部とを備えた接続手段を有する外部機器とから構成したことによって、アクセサリーシューに対して外部機器のコネクタの誤挿入を防止することができ、機器側電気接点端子と装置側電気接点端子間に短絡が生じることもなく、電子回路の破壊等、種々の電気的トラブルの発生を未然に回避することができ、信頼性の高いカメラ装置となる。また、このカメラ装置を備えた電子機器システム及び、このカメラ装置に用いて好適な外部機器接続方法を提供することができる。